(57)【要約】  【課題】  ＣＰＵ等の不良により親子通信が不能な時でも、故障原因の切り分けを可能にする。  【解決手段】  無線信号で変調されたアナログ光信号を親局と子局との間で光ファイバを介して双方向通信する光伝送装置において、親局及び子局は、低周波のパイロット信号を発振する発振回路と、光ファイバを介した親子通信信号のポーリングにより、前記親局と子局との間の監視制御のための通信を行うＣＰＵ及びモデムと、前記親子通信信号とパイロット信号を前記無線信号に重畳した信号で光強度変調を行ってアナログ光信号を相手局に向けて送出するＥ／Ｏと、他方の局からのアナログ光信号を受光して電気信号に変換するＯ／Ｅと、前記Ｏ／Ｅで変換された電気信号からパイロット信号を分離するフィルタと、フィルタで分離されたパイロット信号の有無を検知するパイロットレベル検知回路とを備えた。【選択図】  図１
2006245884.tif 000002
【特許請求の範囲】
【請求項１】
無線信号で変調されたアナログ光信号を親局と子局との間で光ファイバを介して双方向通信する光伝送装置において、
親局若しくは子局の一方が、伝送すべき前記無線信号以外の周波数信号の、前記アナログ光信号への重畳の有無を、自局の状態に応じて制御し、
親局若しくは子局の他方が、前記重畳された周波数信号を検出し、相手局の状態を監視制御することを特徴とする光伝送装置。
【請求項２】
無線信号で変調されたアナログ光信号を、親局と子局との間で上り及び下りの２経路の光ファイバを介して双方向通信する光伝送装置において、
前記親局及び子局はそれぞれ、
オペアンプで増幅可能な低周波のパイロット信号を発振する発振回路と、
上記光ファイバを介した親子通信信号のポーリングにより、前記親局と子局との間の監視制御のための通信を行う親子通信手段と、
前記親子通信信号とパイロット信号を前記無線信号に重畳した信号で光強度変調を行ってアナログ光信号を他方の局に向けて送出する第１の電気−光変換器と、
他方の局からの上りアナログ光信号を受光して電気信号に変換する第１の光−電気変換器と、
前記第１の光−電気変換器で変換された前記電気信号からパイロット信号を分離するフィルタと、
前記フィルタで分離されたパイロット信号の有無を検知するパイロットレベル検知回路と、を備え、前記パイロットレベル検知回路の検知の結果に基づく監視制御を行う特徴とする光伝送装置。
【請求項３】
前記ＣＰＵから一定時間以上クリア信号が入力されない時に、前記無線信号への前記パイロット信号の重畳の有無を変化させるタイマスイッチ手段を、前記子局に設け、
前記子局のＣＰＵは、前記一定時間以内にクリア信号をタイマスイッチ手段に出力するようにプログラムされていることを特徴とする請求項２記載の光伝送装置。
【発明の詳細な説明】
【技術分野】
【０００１】
本発明は、光伝送装置に係り、特に光ファイバで結ばれた装置間の光信号伝送において、監視情報の通信制御を改良した光伝送装置に関する。
【背景技術】
【０００２】
携帯電話やページャ等に代表される移動体と基地局間の無線通信、すなわち移動体通信において、端末へ向けて電波を送信する、あるいは端末から電波を受信するために、基地局側ではＲＦ信号の増幅器を含む無線信号増幅装置を用いる。しかし、トンネル、地下街、地下鉄の駅・ホーム、ビルの中など、基地局からの電波が届きにくい場所では、無線通信を行うことが出来ない。このような無線通信の不感地対策として、光ファイバケーブルを用いた光変換型無線信号中継増幅装置が用いられている。これは、光ファイバが細径であること、伝送損失が小さいことなどの利点を生かし、無線通信の不感地まで、光回線により無線信号を長距離伝送することを特徴とする装置である。
【０００３】
図７は、一般的な光変換型無線中継増幅装置（光伝送装置）の構成図である。
１０は、図示しない基地局（特に基地局のうち無線周波信号を入出力する変復調装置）と接続され、無線信号と光信号との変換を行う親局装置である。
３０は、電波の不感地に設置され、移動端末と無線信号を送受信する子局装置である。
１は、基地局から移動端末に向けて送信される下り信号を光伝送するために親局装置１０と子局装置３０との間を接続する下り光ファイバケーブル（下りファイバ）である。
２は、移動端末から基地局に向けて送信される上り信号を光伝送するために親局装置１０と子局装置３０との間を接続する上り光ファイバケーブル（下りファイバ）である。
【０００４】
図７の動作を説明する。基地局からの下り無線信号はアンテナかケーブルにより、親局装置１０に入力される。入力された信号は、その装置がサービス対象としている周波数帯域（例えば８００ＭＨｚ帯）のみを通過させる帯域通過フィルタ（ＢＰＦ）１１を通した後、増幅器１２により適当な大きさに増幅され、電気−光変換器（Ｅ／Ｏ）１３によって光信号に変換する。ここでは、光を搬送波として、無線信号（ＲＦ信号）により光強度の直接変調を行う、アナログ光変調を用いている。ＲＦ信号により変調された光信号は、子局装置３０にて光−電気変換器（Ｏ／Ｅ）３１によって元の電気信号の形に変換された後、増幅器３２により適当な大きさまで増幅し、帯域通過フィルタ３３を通して子局装置３０側で備えるアンテナへ出力される。上り信号も同様にして、アンテナからの電気信号を帯域通過フィルタ３４を通した後、増幅器３５により適当な大きさに増幅し、電気−光変換器（Ｅ／Ｏ）３６により光信号に変換する。親局装置１０では光−電気変換器（Ｏ／Ｅ）１４により電気信号に変換した後、増幅器１５により適当な大きさまで増幅して、帯域通過フィルタ１６を通過させた後、アンテナかケーブルにより基地局に出力する。
【０００５】
このとき、子局装置や光ファイバが正常に機能しているか監視をする必要がある。そのため親局装置１０、子局装置３０は、ＣＰＵ１８、３８をそれぞれ備えて、ＣＰＵが各装置の監視制御を一括して行う。監視制御の項目としては各種レベル、温度、電源異常等があり、この監視制御情報をもう一方の装置（相手装置）に伝送する場合、ＣＰＵ１８、３８は監視制御状態を通報する送信データを出力し、モデム１７、３７がこのデータ信号を用いて移動体通信の帯域外の任意のキャリアを変調し、得られた変調信号をＥ／Ｏ駆動電流に直接重畳することによって下りファイバ１、上りファイバ２の中を伝送される。一方、この信号の受信側では、Ｏ／Ｅ電流から重畳信号を直接取り出し、モデム１７,３７によって元のデータ信号に復調し、ＣＰＵ１８、３８に取りこむことにより相手装置の監視制御状態を認識することができる。このような通信を親子通信と呼ぶ。
【０００６】
上述したような親子通信は公知である（例えば、特許文献１、２参照）。また、光伝送路上の異常と子局装置内部（特にＲＦ回路）の異常とを親局装置にて判別するために、光信号にパイロット信号を重畳し、受光パワーとパイロット信号レベルの両方を検出するものが知られる（例えば、特許文献３参照）。また、入力光レベルが所定値以下になった時にマイコンがリセットされるようにして、光コネクタの脱着により容易にリセットが行える子局装置が知られる（例えば、特許文献４参照）。また、複数の子局を備える構成において、親局と子局の間に中継伝送局を設けて、親局と中継伝送局との間の光伝送を１本化したものが知られる（例えば、特許文献５参照）。
【０００７】
【特許文献１】特開２０００−１５１５１１
【特許文献２】特開２００４−１２９２１９
【特許文献３】特開２０００−９１９９３
【特許文献４】特開２０００−３５４００７
【特許文献５】特開２０００−３３３２４０
【発明の開示】
【発明が解決しようとする課題】
【０００８】
従来の光伝送装置では、ＣＰＵやモデムの故障、若しくはハングアップ後などの復旧がうまくいかない等の異常が発生した場合、相手装置の一切の監視制御が不能になるという問題があった。
そのため、もし相手装置が入力光レベルの低下により通信不良を検出しても、それが光ケーブル回線の伝送区間における異常（コネクタの接続部不良や光ケーブルの切断等）なのか、装置の異常であるのか切り分けもできなかった。
また、自己監視を行い異常があった場合にＥ／Ｏ部の光出力を単にＯＦＦして相手先に異常を通知するような、ＣＰＵやモデムを備えないシステムもあるが、このようなシステムにおいても同様に、光ケーブル回線の異常と装置の異常とを区別できなかった。
【０００９】
本発明は、上述した背景からなされたものであり、ＣＰＵ並びにモデム等の監視制御用の通信手段が動作不能となった場合においても、光ケーブルで接続された相手装置の状態についての情報が得られ、光ケーブル回線の伝送区間の不良かどうかを判別することができる光伝送装置を提供することを目的とする。
【課題を解決するための手段】
【００１０】
無線信号で変調されたアナログ光信号を親局と子局との間で光ファイバを介して双方向通信する光伝送装置において、
親局若しくは子局の一方が、伝送すべき前記無線信号以外の周波数信号の、前記アナログ光信号への重畳の有無を、自局の状態に応じて制御し、
親局若しくは子局の他方が、前記重畳された周波数信号を検出し、相手局の状態を監視制御することを特徴とする光伝送装置。
【００１１】
無線信号で変調されたアナログ光信号を、親局と子局との間で上り及び下りの２経路の光ファイバを介して双方向通信する光伝送装置において、
前記親局及び子局はそれぞれ、
オペアンプで増幅可能な低周波のパイロット信号を発振する発振回路と、
上記光ファイバを介した親子通信信号のポーリングにより、前記親局と子局との間の監視制御のための通信を行う親子通信手段と、
前記親子通信信号とパイロット信号を前記無線信号に重畳した信号で光強度変調を行ってアナログ光信号を他方の局に向けて送出する第１の電気−光変換器と、
他方の局からの上りアナログ光信号を受光して電気信号に変換する第１の光−電気変換器と、
前記第１の光−電気変換器で変換された前記電気信号からパイロット信号を分離するフィルタと、
前記フィルタで分離されたパイロット信号の有無を検知するパイロットレベル検知回路と、を備え、前記パイロットレベル検知回路の検知の結果に基づく監視制御を行う特徴とする光伝送装置。
【００１２】
前記ＣＰＵから一定時間以上クリア信号が入力されない時に、前記無線信号への前記パイロット信号の重畳の有無を変化させるタイマスイッチ手段を、前記子局に設け、
前記子局のＣＰＵは、前記一定時間以内にクリア信号をタイマスイッチ手段に出力するようにプログラムされていることを特徴とする請求項２記載の光伝送装置。
【発明の効果】
【００１３】
本発明にかかる光伝送装置によれば、子局のＣＰＵやモデム等の故障により通信ができなくなった場合においても、伝送区間の不良ではなく子局の異常であることが親局側で検出できるので、異常に適切に対処することができる。
【発明を実施するための最良の形態】
【００１４】
本発明は、光信号伝送装置間の監視制御信号伝送において、伝送ＲＦ信号以外の周波数（低周波信号等）を使用し、その周波数を光ファイバ網を通してレベルを検知することにより監視制御を行うことを特徴とするものである。以下、各実施例を通じて発明を説明するが、実施例同士の組み合わせ、あるいは各実施例と上述の特許文献との組み合わせもまた発明となりうる。
【００１５】
図１は最良の形態における光伝送装置の構成図である。なお従来と同一の構成部分については同一の符号を付してその説明を省略する。また、伝送ＲＦ信号を扱う主経路（１１、１２、１５、１６、３２、３３、３４、３５）も従来と同一のものを備えているが、発明の説明に不要なので図示を省略している。
１９、４１は、発振回路であり、親局装置（以後単に親局と称す）、子局装置（以後子局と称す）にそれぞれ備えられ、モデムに使用する周波数帯及び本来伝送するＲＦ周波数帯以外の周波数のパイロット信号（発振信号）を発振する。周波数は任意であるが、例えば数ｋＨｚ〜数１００ＫＨｚの正弦波であり、オペアンプ１個で発振回路を構成できる。
２２、４２は、タイマスイッチであり、親局１０、子局３０にそれぞれ備えられて、クリア信号が入力されないまま一定時間経過すると発振回路１９、４１の信号の重畳をＯＦＦし、それ以外のときはＯＮする。タイマスイッチは、例えばＣＰＵと独立に設けたタイマ回路（ワンショットマルチ）とアナログスイッチにより構成される。
２０、３９は、発振回路より送出されたパイロット信号以外の周波数を取り除くためのフィルタである。
２１、４０は、フィルタ２０、３９により摘出されたパイロット信号レベルを検知するためのパイロットレベル検知回路である。このような装置構成において、子局のＣＰＵ３８では装置内の異常監視を行っている。
【００１６】
図１の動作を説明する。子局３０のＣＰＵ３８は、親局１０から状態情報要求（ポーリング）を受信できるように常に待機している。親局１０から自局宛ての状態情報要求があった場合、ＣＰＵ３８はモデム３７を通じて監視情報を親局へ送出する。また、親局１０から、ＲＦのアッテネータ値を設定するなどの制御情報があった場合には、増幅器３３、３５にその設定を行う。
発振回路４１はＣＰＵの動作に関係無く常に発振しており、タイマスイッチ４２は一定時間経過するとＯＦＦとなり、パイロット信号のＥ／Ｏ３６への重畳を遮断する。ＣＰＵ３８からのタイマクリア信号がくることでタイマはリセットされる。すなわちウオッチドッグタイマ等と同様に、ＣＰＵ３８が通常実行しているルーチンの中にタイマをリセットするための命令を挿入し、ルーチンが一周する時間よりタイムアウト時間を長く設定すればよい。尚、本装置の構成例では発振回路４１の信号をタイマスイッチ４２にて遮断してＯＦＦとしているが、時間経過により発振回路そのものの動作を停止するようにしても良い。
【００１７】
Ｅ／Ｏ３６は、パイロット信号のみ通過し他の周波数対してはハイインピーダンスとなるＬＣフィルタのような結合手段により、パイロット信号を主経路のＲＦ伝送信号に重畳し、光信号に変換する。こうして上りファイバ２中を伝送されたパイロット信号は、受信側の親局１０でＯ／Ｅ１４により電気信号に変換され、フィルタ２０によりパイロット信号として分離され、パイロットレベル検知回路２１により検知される。
ＣＰＵ１８は、定期的或いは子局からの応答が無いときに、パイロットレベル検知回路２１のレベルを取得し、検知されたレベルを閾値と比較してパイロット信号の有無を判断することで、子局の状態すなわち子局のＣＰＵ３８が動作しているか、ハングアップしているかを認識する。さらにＯ／Ｅ１４の受光レベルも検知している場合、受光レベルが閾値より低ければ上りファイバ２の断線を認識し、閾値より高く且つＣＰＵ３８が動作していれば、下りファイバ１を含む下り系の異常が推定される。そしてその認識結果に基づく監視制御を行う。
以上は親局が子局の状態を検出する動作についての説明であるが、子局が親局の状態を検出する動作も同様である。ただし、親局、子局両方の異常を検出するのではなく、どちらか一方のみ検出するものも本発明である。
【００１８】
通常は親子通信で子局の状態の監視制御を行うが、本最良の形態によれば、子局のＣＰＵ３８やモデム３７の通信回路が異常となり通常の親子通信ができなくなった場合においても、子局の異常を親局側で検出し、異常に対処するための制御等が可能になる。例えば、遠隔にて電源再投入や予備系への切り替え等の手段により復旧を試みたり、現地へ赴いて子局の保守作業を行ったりする。ただし監視制御は、復旧のためのアクションを伴うものに限らず、上位監視装置への通報や、ＬＥＤによるアラーム表示であってもよい。
尚、モデムを搭載しないシステム構成においても、ＣＰＵが異常を検出した場合やＣＰＵそのものが故障した場合、Ｅ／ＯをＯＦＦすることなく、親局へ異常を通知することが可能である。
【実施例１】
【００１９】
本実施例は、ＣＰＵのリセット指示を伝送するため発信回路等を新たに設けた点で、上述の最良の形態と異なる。
図２は、実施例１における光伝送装置の構成図である。
２３は、親局に備えられ、発振回路１９とは別の周波数を発振する発振回路である。発信回路２３は、ＣＰＵ１８から制御により必要なときだけ発振され、その出力はＥ／Ｏ１３において主経路のＲＦ伝送信号にパイロット信号とともに重畳される。
４３は、子局に備えられ、発振回路２３の信号のみ通過させるフィルタである。
４４は、フィルタ４３により摘出された発振回路２３の信号を検知するためのリセット指示検知回路である。
【００２０】
上述の構成により、子局３０からのパイロット信号（及びポーリング応答）が途絶えたことを検出した親局１０は発信回路２３を動作させ、発信回路２３の信号を検知したリセット指示検知回路４４がＣＰＵ３８をリセットすることで、ハングアップした状態の子局３０を復活させることができる。
【００２１】
なお、発振回路２３を常時動作させ、発振回路２３の信号の停止をリセット指示としてもよい。また本実施例において、親局の異常を通知するための発振回路１９等の構成は必須ではない。
【実施例２】
【００２２】
本実施例は、上述の最良の形態における親局の増幅器１２、１５やＢＰＦ１１、１６、Ｅ／Ｏ１３、３６の構成例を詳細に説明するものである。
図３は、実施例２にかかるＢＰＦ１１及び増幅器１２部分（下り系）の構成図である。本実施例は通信事業主の異なる３個の基地局のＲＦ信号をまとめて不感知に中継するために、各事業者の基地局からの下り信号を、事業者毎に用意された可変減衰器によって入力信号を合成前に同レベルに合わせた後、合成を行う。合成した信号は、２つに分配され、前述の増幅器１２に相当する増幅器１２ａ、１２ｂでそれぞれ増幅されて、前述のＥ／Ｏ１３に相当するＥ／Ｏ１３ａ、１３ｂにそれぞれ入力される。Ｅ／Ｏ１３ａ、１３ｂには、タイマスイッチ２２の出力するパイロット信号も分配されて入力される。Ｅ／Ｏ１３ａの出力は例えば４分配されて４台の子局に光伝送され、Ｅ／Ｏ１３ｂの出力は副親局に光伝送され、副親局にて例えば４分配されて別の４台の子局に光伝送される。
【００２３】
事業者毎に備えられた検波器、アナログ可変減衰器（A-ATT）、デジタル可変減衰器（D-ATT）はＣＰＵ１８に接続されており、ＣＰＵ１８は、ノートパソコンなどに接続するためのシリアルＩ／Ｆ（インタフェース）を備えている。それによりＣＰＵ１８は、各事業者の入力レベルを検波器からの入力により把握し、A-ATTまたはD-ATTを自動あるいは外部指令に基づき制御してレベル合わせを行う。また入力レベルは、入力レベル監視Ｉ／Ｆを介して、外部の測定器により確認することもできる。A-ATTは専ら製造時における部品ばらつきの校正用であり、可変抵抗素子であるＰＩＮダイオードのバイアス電流をＣＰＵより制御して減衰量を可変するものであるが、D-ATTの可変範囲を拡大するために用いることもできる。
【００２４】
図４は、本実施例２にかかる増幅器１５及びＢＰＦ１６部分（上り系）の構成図である。複数、例えば８台の子局から上り信号は、４台ずつそれぞれＯ／Ｅ１４ａ、１４ｂ（Ｏ／Ｅ１４に対応するものであり、図示しない）で光−電気変換及び合成され、図４の構成に入力される。Ｏ／Ｅ１４ａから入力されたＲＦ信号は、前述の増幅器１４に相当する増幅器１４ａで増幅され、電力比１：２で分配する分配器（カプラ、ハイブリッド等）、及び電力比１：１で分配する分配器を経て３等分配され、各事業者設備の特性に合わせて（例えば各事業者の通信感度が同等になるように）D-ATT等にてレベル調整されて、各基地局の上り１入力端子に出力される。下り系同様、A-ATT、D-ATTはＣＰＵ１８に接続されている。
【００２５】
実際には、図４の上り系がもう１つ設けられて、図３の下り系と一緒に１枚の配線基板上に構成される。そして２つ目の上り系がＯ／Ｅ１４ｂの出力信号を同様に処理し、各基地局の上り２入力端子に出力する。各基地局では、２つの上り信号を用いてダイバーシティ受信を行う。なお本実施例では、最良の形態のＢＰＦ１１、１６に対応するものが親局内で不要となったため、特に備えていない。
【００２６】
図５は、本実施例２にかかるＥ／Ｏ１３、３６の構成図である。増幅器１２等からの伝送ＲＦ信号はアイソレータを介してレーザダイオード（ＬＤ）に印加される。ＬＤを動作させるためのバイアス電流が、コイルＬ及び抵抗を介してＬＤに印加される。モデム１７等の出力するデータ変調信号やタイマスイッチ２２等が出力するパイロット信号は、本実施例に於いては伝送ＲＦ信号に比べ低周波なので、コイルＬを介して重畳することができる。つまりパイロット信号はＬＤバイアス回路を介してバイアス電流に重畳される。
これにより本実施例の回路は、伝送ＲＦ信号を扱う主経路には一切影響を与えることなく追加可能であり、特に発振回路１９等をオペアンプのような安価な部品で構成できる。
【実施例３】
【００２７】
本実施例は、特許文献６の光伝送装置に本発明を適用した一例であって、１台の親局１０と、親局と接続される２台の光中継局５０ａ、５０ｂと、光中継局と接続される複数台の子局３０ａ〜３０ｈから構成される。なお、従来構成或いは既出の実施例と同一の構成部分については同一の符号を付してその説明を省略する。
親局１０は、実施例２と同等であり、下り信号を２分配しそれぞれ別個のＥ／Ｏ（１３ａ、１３ｂ）で光信号に変換し光中継局５０ａ、５０ｂに向けて送信する。そのため、１つのＥ／Ｏ出力を光中継局にて子局総数だけ分配する特許文献６に比べ、光送信パワーが２倍になるので、その分、長距離伝送できる。親局１０はまた、光中継局５０ａ、５０ｂ及び各子局に対しポーリングを行い、それに対する各局の応答から各局の状態を把握する。
各子局３０ａ〜３０ｈの構成は最良の形態と同等である。ただし親局監視用のフィルタ３９、パイロットレベル検知回路４０は、全ての子局に必須なわけではない。
【００２８】
図６は、本実施例３にかかる光中継局５０ａの構成図である。光中継局５０ａと５０ｂは、同一構成であり、光中継局５０ｂは子局３０ｅ〜３０ｈと接続される。光中継局５０ａは、親局からの下り信号を光スターカプラ５１により等分配して子局３０ａ〜３０ｄに出力するとともに、各子局からの上り信号をそれぞれＯ／Ｅ５２ａ〜５２ｄで受けて電気信号に変換し、増幅、合成した後、再びＥ／Ｏ５３で光信号に戻して親局に出力する。Ｏ／Ｅ５２ａ〜５２ｄやＥ／Ｏ５３の構成は、Ｏ／Ｅ１４やＥ／Ｏ３６と同一でよい。
また、フィルタ５４は前述のフィルタ３９等に相当し、Ｏ／Ｅ５２ａ〜５２ｄの出力の一部がそれぞれ入力され、各子局から上り信号に重畳されて伝送されたパイロット信号をそれぞれ分離し，パイロットレベル検知回路５５に出力する。パイロットレベル検知回路５５は、各パイロット信号のレベルを検知し、ＣＰＵ５８に通知する。
【００２９】
各子局からのパイロット信号は、数ｋＨｚと音声周波数並に低いので、Ｏ／Ｅ５２ａ〜５２ｄからＥ／Ｏ５３の間のＲＦ回路中で自然に遮断される。そして、Ｅ／Ｏ５３で改めてパイロット信号が重畳される。ただし親子通信信号も減衰してしまう場合は、特開２０００−２８６８０２号公報に開示されているように減衰前にＯ／Ｅ５２ａ〜５２ｄから適宜取り出し、別途増幅してＥ／Ｏ５４に再注入する。
ＣＰＵ５８は、各パイロット信号のレベルの他、Ｅ／Ｏ光出力レベル、Ｅ／Ｏ入力信号レベル、各Ｏ／Ｅ光入力レベル、電源過電流情報等を監視し、それが異常なときは対応する警報を出力する。警報はシリアル回線、ＬＥＤ表示、リレー接点など各種の手段で出力される。またシリアル回線等を介してＣＰＵ５８に設定された増幅器利得を増幅器に与える。また、タイマスイッチを定期的にリセットする。
【００３０】
また光中継局５０ａ、５０ｂは、最良の形態における子局３０と同等の親子通信機能を有してもよい。その場合、ＣＰＵ５８は、親局から自局宛ての状態問い合わせが来た時に、自局の状態情報と共に各子局からパイロット信号の検知結果を親局に応答してもよい。
【図面の簡単な説明】
【００３１】
【図１】最良の形態にかかる光伝送装置の構成図
【図２】実施例１にかかる光伝送装置の構成図
【図３】実施例２にかかるＢＰＦ１１及び増幅器１２部分の構成図
【図４】実施例２にかかる増幅器１５及びＢＰＦ１６部分の構成図
【図５】実施例２にかかるＥ／Ｏ１３、３６の構成図
【図６】実施例３にかかる光中継局５０ａの構成図
【図７】従来の光変換型無線中継増幅装置（光伝送装置）の構成図
【符号の説明】
【００３２】
１…光ファイバ（下り）
２…光ファイバ（上り）
１０…親局装置
３０…子局装置
１１、１６、３３、３４…帯域通過フィルタ（ＢＰＦ）
１２、１５、３２、３５…増幅器
１３、３６…電気−光変換器（Ｅ／Ｏ）
１４、３１…光−電気変換器（Ｏ／Ｅ）
１７、３７…モデム
１８、３８…ＣＰＵ
１９、２３、４１…発振回路
２２、４２…タイマスイッチ
２１、４０…パイロットレベル検知回路
【図１】
2006245884.tif 000003
【図２】
2006245884.tif 000004
【図３】
2006245884.tif 000005
【図４】
2006245884.tif 000006
【図５】
2006245884.tif 000007
【図６】
2006245884.tif 000008
【図７】
2006245884.tif 000009